(57)【要約】【課題】義歯装着者に優れた装着感と食事中の快適な咬み心地を与える義歯とその取付けアタッチメントを提供する。【解決手段】取付けアタッチメント２０は、一本の支台歯に取り付ける金属冠２１０と、この周囲に備わった磁性体からなる突出部２２０を有し、義歯は遊離端義歯１０からなり、支台歯８０に隣接させる端部側に配置された凹み付き係合部１３０と、遊離端義歯との結合部側に収容された磁石１４０を有し、突出部が凹み付き係合部に係合することで遊離端義歯が支台歯に結合し、磁石の突出部に及ぼす磁気引っ張り力で遊離端義歯が支台歯から離れないようにし、凹み付き係合部には、突出部が嵌まり込むと共に、突出部の湾曲部の少なくとも一部が凹み付き係合部内に磁力で留まりながら、支台歯に対する遊離端義歯の相対位置や相対角度が所定範囲内で変化できるようになっている。【選択図】図１
2020137715.tif 000002
【特許請求の範囲】
【請求項１】
遊離端義歯を一本の支台歯に取り付ける義歯とその取付けアタッチメントであって、
前記取付けアタッチメントは、前記一本の支台歯に取り付ける金属冠と、当該金属冠の周囲の所定位置に備わりかつ少なくとも周面の一部が湾曲した磁性体からなる突出部を有し、
前記義歯は遊離端義歯からなり、当該遊離端義歯は、少なくとも一本の義歯本体と、当該義歯本体を支える義歯床と、前記支台歯に隣接させる端部側に配置された凹み付き係合部と、前記支台歯の内部であって前記遊離端義歯との結合部側に収容された磁石とを有し、
前記遊離端義歯を前記支台歯に取り付けた状態で見て、前記突出部が前記凹み付き係合部の凹み部に係合することで、前記遊離端義歯が前記支台歯に結合すると共に、前記遊離端義歯の義歯床が歯肉に接触することで、前記遊離端義歯を前記支台歯に取り付けるようになっていると共に、
前記磁石が前記磁性体からなる突出部に磁気引っ張り力を作用させて前記遊離端義歯が前記支台歯から離れないようにし、
前記遊離端義歯を前記支台歯に取り付けた状態において、前記凹み付き係合部が前記支台歯の中心軸線方向所定の位置に留まると共に、前記遊離端義歯の延在方向が前記支台歯の中心軸線に対して所定の角度範囲内で変化できるようになっていることを特徴とする義歯とその取付けアタッチメント。
【請求項２】
前記遊離端義歯を前記支台歯に取り付けた状態において、前記凹み付き係合部は、前記遊離端義歯の義歯床が接触する歯肉に対して一定の空間を隔てて対向配置するようになっていることを特徴とする請求項１に記載の義歯とその取付けアタッチメント。
【請求項３】
前記凹み部の開口部の大きさは、当該凹み部に前記突出部を係合させるために挿入する際に互いに干渉しない寸法となっており、前記遊離端義歯を前記支台歯に取り付けた状態において、前記金属冠の突出部は、前記遊離端義歯に備わった磁石の吸引力のみによって前記凹み部に係合していることを特徴とする請求項１又は請求項２に記載の義歯とその取付けアタッチメント。
【請求項４】
前記突出部は、略球状又は略半球状をなしていることを特徴とする請求項３に記載の義歯とその取付けアタッチメント。
【請求項５】
前記突出部は、前記金属冠との接続側の基端部の太さが当該突出部のそれ以外の部分よりも細くなっており、前記凹み部の開口部の大きさは、前記遊離端義歯装着者の指による押し込み力や引っ張り力によって前記支台歯に対して前記遊離端義歯を着脱可能とするために、前記磁石が前記突出部に及ぼす磁気吸引力に加えて前記凹み部の開口部が前記突出部に及ぼす係合力によって前記突出部が前記凹み部から外れるのを防止する程度に前記突出部の最大幅の部分よりも小さく、かつ前記凹み部の開口部の向きが前記突出部に対して所定の範囲内で変化可能なように前記凹み部の内部が当該凹み部の開口部より大きくなっていることを特徴とする請求項１又は請求項２に記載の義歯とその取付けアタッチメント。
【請求項６】
前記突出部は、略球状体をなしていることを特徴とする請求項５に記載の義歯とその取付けアタッチメント。
【請求項７】
前記支台歯として天然歯の代わりにインプラントが用いられ、当該インプラントに前記金属冠を取り付けるようになったことを特徴とする請求項１乃至請求項６の何れかに記載の義歯とその取付けアタッチメント。
【請求項８】
請求項１乃至請求項６の何れかに記載された義歯とその取付けアタッチメントに使用することを特徴とする突出部を有する金属冠。
【請求項９】
請求項１乃至請求項６の何れかに記載された義歯とその取付けアタッチメントに使用することを特徴とする遊離端義歯。
【請求項１０】
少数残存歯のうちの歯欠損部分を挟む２本の歯を両端支台歯として中間欠損歯用義歯を取り付ける義歯とその取付けアタッチメントにおいて、
前記取付けアタッチメントは、前記各支台歯に被せる金属冠と、当該金属冠の周囲の所定位置に設けられ前記金属冠を前記支台歯に被せた状態で前記金属冠の周面において前記支台歯の基端部から先端部に向けて延在する磁性材からなる凸条突出部を有し、
前記中間欠損歯用義歯は、少なくとも一本の義歯本体と、義歯本体が取付けられた義歯床と、前記中間欠損歯用義歯をこの両端に位置する各支台歯に取り付ける凸条摺動係合部であって、前記中間欠損歯用義歯を前記支台歯に取り付けた際に、前記各支台歯に被せる前記金属冠に備わる係合突出部が摺動可能な状態で嵌り込む凸条摺動係合部と、前記中間欠損歯用義歯の両端近傍であって前記２本の支台歯との結合部側の内部にそれぞれ収容された磁石とを備え、
前記凸条摺動係合部の前記義歯本体側端部には、前記凸条突出部が当接するストッパー部が設けられ、
前記係合突出部が前記凸条摺動係合部に係合することで、前記中間欠損歯用義歯が前記２本の支台歯に結合すると共に、前記中間欠損歯用義歯の義歯床が歯肉に接触することで、前記中間欠損歯用義歯を前記２本の支台歯に取り付けるようになっており、
前記中間欠損歯用義歯を前記支台歯に取り付けた際に、前記中間欠損歯用義歯に備わる各磁石が、これらそれぞれの近くに備わる金属冠の係合突出部に磁気引っ張り力を及ぼすことで前記中間欠損歯用義歯が前記２本の支台歯から外れないようにし、かつ
前記中間欠損歯用義歯が、前記２本の支台歯の間で前記磁気引っ張り力によって保持されながら当該２本の支台歯に対して所定の量だけ平行移動できるように、前記金属冠の係合突出部が前記中間欠損歯用義歯の凸条摺動係合部内で摺動可能となっており、
咬合した状態において、前記各凸条突出部が前記凸条摺動係合部のストッパー部に押し付けられることで、前記各凸条突出部を介して咬合力を前記２本の支台歯の歯根膜に伝えながら前記中間欠損歯用義歯と前記２本の支台歯で咬合可能としたことを特徴とする義歯とその取付けアタッチメント。
【請求項１１】
前記義歯の取り付け状態で見て、前記凸条突出部の歯肉側の端部とこれに対向する歯肉との間に所定の空間が形成されることを特徴とする請求項１０に記載の義歯とその取付けアタッチメント。
【請求項１２】
前記凸条に代えて前記溝部を摺動可能な突出部が前記金属冠に備わっていることを特徴とする請求項１０又は請求項１１の何れかに記載の義歯とその取付けアタッチメント。
【請求項１３】
前記支台歯として天然歯の代わりにインプラントが用いられ、当該インプラントに前記金属冠を取り付けるようになったことを特徴とする請求項１０乃至請求項１２の何れかに記載の義歯とその取付けアタッチメント。
【請求項１４】
請求項１０乃至請求項１３の何れかに記載の金属冠に取り付けることを特徴とする中間欠損歯用義歯。
【請求項１５】
請求項１０乃至請求項１３の何れかに記載の中間欠損歯用義歯に取り付けることを特徴とする金属冠。
【発明の詳細な説明】
【技術分野】
【０００１】
本発明は、義歯とその取付けアタッチメントに関するものである。
【背景技術】
【０００２】
本来、歯の治療を適切に行っていれば義歯を装着したりインプラントを埋め込んだりする必要性は少ないが、現実問題としてはこのように上手くはいかず、年齢が高くなるほど義歯を装着したりインプラントを埋め込んだりする必要性が生じている。そして、高齢者の割合が急速に増加している我が国においては、特に近年の高齢化社会の到来に合わせて義歯の装着やインプラントを埋め込む機会や必要性が急速に増加している。
【０００３】
しかしながら、義歯を装着する場合、残存した歯にクラスプという金具を嵌め込んで固定しなければならない。このような固定方法によると、例えば会話中に口を大きく開けて思わず笑った際に支台歯に鈎合しているクラスプの金属部分が歯の隙間から相手に対して見えてしまい、思わず恥ずかしい思いをして会話を楽しめなくなってしまうことがある。
【０００４】
また、クラスプを備えた義歯を長期間使っていると、クラスプ自体が塑性変形して義歯が外れやすくなり、その都度かかりつけの歯科医院に頼んで再調整してもらわなければならず手間と費用を要してしまう。
【０００５】
また、場合によってはクラスプの一部に極端な応力がかかったり長期間の使用による疲労破壊が起こったりしてクラスプ自体が切断されてしまい、その切断した端部が歯肉に切り込んで傷つけ思わぬ怪我の原因となることがある。更には、このようなクラスプの一部が破断して破片となってそのまま気付かずに飲み込んでしまい、異物の誤飲による思わぬ体調不良を招く虞もある。
【０００６】
一方、クラスプを利用した義歯を嵌め込む代わりに、歯の欠損部分にインプラントを埋め込むことも近年広く行われている。しかしながら、インプラントを埋め込むのに一本当たりの費用が高額で、何本も埋め込もうとするとかなりコストが嵩んでしまう。また、特に高齢者であって、顎の骨が脆くなっていたり骨自体が痩せてしまっていたりする場合、無理矢理インプラントを埋め込むと埋め込んだ部分の一部が歯の根元の神経を傷つけてしまい、継続的な痛みや麻痺等の深刻な問題が生じてしまう場合がある。
【０００７】
以上のことから、このような不具合を解消するために磁石による磁力を用いて義歯を装着する技術が開示されている（例えば、特許文献１乃至特許文献３参照）。
【先行技術文献】
【特許文献】
【０００８】
【特許文献１】特開平９−５１９０２号公報
【特許文献２】特開２００４−９７５９１号公報
【特許文献３】特開平７−１３６１８９号公報
【発明の概要】
【発明が解決しようとする課題】
【０００９】
先行特許文献１乃至先行特許文献３に開示された義歯は、磁石を用いて構成されているが、磁石の部分が露出しているため、磁性材が直接舌に触れたりして味覚に違和感や不快感を覚えたりする。また、咬合を長期間繰り返していくと磁石の部分が剥がれ落ちて気がつかないうちに食べ物と一緒に誤飲してしまう虞もある。
【００１０】
更には磁石の一部が欠けて剥がれ落ちた場合、上述のように誤認してしまうことに加えて、健全な他の歯の間に入り込んで咬合時に楔効果によりそれらの歯の間を押し広げてせっかくの健全な歯の損傷を招く虞もある。
【００１１】
本発明の目的は、支台歯への着脱が行い易く、かつ義歯装着者に優れた装着感と食事中の快適な咬み心地を与えることが可能な義歯とその取付けアタッチメントを提供することにある。
【課題を解決するための手段】
【００１２】
上述の課題を解決するために、本発明の請求項１に係る義歯とその取付けアタッチメントは、
遊離端義歯を一本の支台歯に取り付ける義歯とその取付けアタッチメントであって、
前記取付けアタッチメントは、前記一本の支台歯に取り付ける金属冠と、当該金属冠の周囲の所定位置に備わりかつ少なくとも周面の一部が湾曲した磁性体からなる突出部を有し、
前記義歯は遊離端義歯からなり、当該遊離端義歯は、少なくとも一本の義歯本体と、当該義歯本体を支える義歯床と、前記支台歯に隣接させる端部側に配置された凹み付き係合部と、前記支台歯の内部であって前記遊離端義歯との結合部側に収容された磁石とを有し、
前記遊離端義歯を前記支台歯に取り付けた状態で見て、前記突出部が前記凹み付き係合部の凹み部に係合することで、前記遊離端義歯が前記支台歯に結合すると共に、前記遊離端義歯の義歯床が歯肉に接触することで、前記遊離端義歯を前記支台歯に取り付けるようになっていると共に、
前記磁石が前記磁性体からなる突出部に磁気引っ張り力を作用させて前記遊離端義歯が前記支台歯から離れないようにし、
前記遊離端義歯を前記支台歯に取り付けた状態において、前記凹み付き係合部が前記支台歯の中心軸線方向所定の位置に留まると共に、前記遊離端義歯の延在方向が前記支台歯の中心軸線に対して所定の角度範囲内で変化できるようになっていることを特徴としている。
【００１３】
上述した遊離端義歯の本発明に係る特有の構成により、咬合時に遊離端義歯の支台歯と反対側の端部が歯肉に押し付けられて押さえられると共に、遊離端義歯の支台歯側の端部が咬合力の一部を支台歯のほぼ軸線方向のみに作用させることができる。これにより、遊離端義歯に加わる咬合力を支台歯と遊離端義歯の歯肉に押し付けられる部分で均等に負担することができ、咬合力が支台歯のみに加わるのを阻止でき、支台歯の負担軽減に貢献する。
【００１４】
また、咬合時に支台歯を遊離端義歯側に倒すようなモーメントが発生しないようにする。これにより、歯根膜の遊離端義歯側が押し潰されて過度の圧縮応力が発生したり、歯根膜の遊離端義歯と反対側が無理やり引っ張られて過度の引っ張り応力が発生したりするのを防止する。
【００１５】
即ち、支台歯に対してこれに遊離端義歯を取り付ける前の咬合力が作用する力のかかり具合と同等の力のかかり具合を維持させることができ、歯根膜の健全な状態を保ち、支台歯を傷めることなく長持ちさせると共に、支台歯に取り付けた遊離端義歯を長期に亘って使い続けることができる。
【００１６】
また、強く咬む癖のある人であっても、残存歯の多い状態でこの歯根膜負担型義歯を支台歯に取り付けると共に強く咬む習慣を改めていけば、更なる残存歯の欠損を防ぐと共に、この支台歯の歯根膜の状態を悪化させずに支台歯の欠損を防ぎ、かつこの支台歯に取り付けられた遊離端義歯を長期に亘って使い続けることができる。
【００１７】
また、遊離端義歯の咬合時の傾きによって生じる突出部に及ぼす力が、義歯を備えない通常の咬合時と同じように支台歯の軸線方向に作用し、突出部を遊離端義歯に向かって引っ張るような方向、即ち支台歯の軸線方向と交差する横方向に作用するのを抑える。その結果、咬合時において支台歯を遊離端義歯に向かって引っ張りながら倒してしまう従来例で生じる問題のある現象を生じさせることはない。
【００１８】
即ち、支台歯の遊離端義歯側の歯根膜の線維組織を無理矢理潰したり、支台歯の遊離端義歯の反対側の歯根膜の線維組織を無理矢理引き延ばしたりすることなく、義歯を装着した後に長期間の咬合によって歯根膜が傷むのを阻止する。
【００１９】
また、本発明の請求項２に係る義歯とその取付けアタッチメントは、請求項１に記載の義歯とその取付けアタッチメントにおいて、
前記遊離端義歯を前記支台歯に取り付けた状態において、前記凹み付き係合部は、前記遊離端義歯の義歯床が接触する歯肉に対して一定の空間を隔てて対向配置するようになっていることを特徴としている。
【００２０】
凹み付き係合部と遊離端義歯の義歯床が接触する歯肉の間にこのような空間を形成することで、遊離端義歯を支台歯に取り付ける際や取り外す際に凹み付き係合部が歯肉に押し付けられることなく、遊離端義歯の支台歯に対する着脱を簡単かつ快適に行うことができる。
【００２１】
また、凹み付き係合部と遊離端義歯の義歯床が接触する歯肉の間にこのような空間が形成されていることで、義歯を外した後に金属冠の突出部とこれに対向する歯肉との間には更に広い隙間が存在することになる。このような隙間を生じさせることで、この部分に所定の空間を形成させることができ、義歯を外して支台歯を歯ブラシ等で磨く際にこの隙間に溜まった食べ物の食べカスを容易に取り除くことができる。その結果、この部分にこれら食べカスが詰まったままとならず、その後の虫歯や口臭の発生を防止することができる。
【００２２】
また、本発明の請求項３に係る義歯とその取付けアタッチメントは、請求項１又は請求項２に記載の義歯とその取付けアタッチメントにおいて、
前記凹み部の開口部の大きさは、当該凹み部に前記突出部を係合させるために挿入する際に互いに干渉しない寸法となっており、前記遊離端義歯を前記支台歯に取り付けた状態において、前記金属冠の突出部は、前記遊離端義歯に備わった磁石の吸引力のみによって前記凹み部に係合していることを特徴としている。
【００２３】
凹み部の開口部の幅が突出部を係合させるために挿入する際に干渉しない寸法となっており、磁石の吸引力のみで突出部を凹み部に嵌め込むようにすることで、凹み部の開口部と突出部の間の寸法公差を厳密に管理する必要がなくなる。これにより、義歯のコストダウンを図ることができると共に、義歯を支台歯に取り付けたり取り外したりする際に簡単に着脱することができる。
【００２４】
また、本発明の請求項４に係る義歯とその取付けアタッチメントは、請求項３に記載の義歯とその取付けアタッチメントにおいて、
前記突出部は、略球状又は略半球状をなしていることを特徴としている。
【００２５】
突出部が略球状又は略半球状をなしていることで、請求項３の作用を容易に実現することができる。
【００２６】
また、本発明の請求項５に係る義歯とその取付けアタッチメントは、請求項１又は請求項２に記載の義歯とその取付けアタッチメントにおいて、
前記突出部は、前記金属冠との接続側の基端部の太さが当該突出部のそれ以外の部分よりも細くなっており、前記凹み部の開口部の大きさは、前記遊離端義歯装着者の指による押し込み力や引っ張り力によって前記支台歯に対して前記遊離端義歯を着脱可能とするために、前記磁石が前記突出部に及ぼす磁気吸引力に加えて前記凹み部の開口部が前記突出部に及ぼす係合力によって前記突出部が前記凹み部から外れるのを防止する程度に前記突出部の最大幅の部分よりも小さく、かつ前記凹み部の開口部の向きが前記突出部に対して所定の範囲内で変化可能なように前記凹み部の内部が当該凹み部の開口部より大きくなっていることを特徴としている。
【００２７】
凹み部の開口部と突出部の相対関係がこのような互いにいわゆるラッチ係合するような寸法関係を有することで、突出部が凹み部に一旦係合すると磁石から受ける吸引力と相まって突出部が凹み部から抜けにくくなる。
【００２８】
これによって、義歯を支台歯に一旦取付ければ支台歯から義歯が簡単に外れることはなくなり、義歯の使用中において義歯の外れに伴う思わぬトラブルを防止することができる。
【００２９】
また、本発明の請求項６に係る義歯とその取付けアタッチメントは、請求項５に記載の義歯とその取付けアタッチメントにおいて、
前記突出部は、略球状体をなしていることを特徴としている。
【００３０】
突出部が略球状体をなしていることで、請求項５の作用を容易に実現することができる。
【００３１】
また、本発明の請求項７に係る義歯とその取付けアタッチメントは、請求項１乃至請求項６の何れかに記載の義歯とその取付けアタッチメントにおいて、
前記支台歯として天然歯の代わりにインプラントが用いられ、当該インプラントに前記金属冠を取り付けるようになったことを特徴としている。
【００３２】
健全な支台歯の代わりにインプラントを支台歯に用いる場合であっても、咬合力に伴う不適切なモーメントがインプラントに極力作用しないようにし、インプラントの破損を回避することができる。
【００３３】
また、本発明の請求項８に係る金属冠は、
請求項１乃至請求項６の何れかに記載された義歯とその取付けアタッチメントに使用することを特徴とする突出部を有する金属冠である。
【００３４】
また、本発明の請求項９に係る遊離端義歯は、
請求項１乃至請求項６の何れかに記載された義歯とその取付けアタッチメントに使用することを特徴とする遊離端義歯である。
【００３５】
また、本発明の請求項１０に係る義歯とその取付けアタッチメントは、
少数残存歯のうちの歯欠損部分を挟む２本の歯を両端支台歯として中間欠損歯用義歯を取り付ける義歯とその取付けアタッチメントにおいて、
前記取付けアタッチメントは、前記各支台歯に被せる金属冠と、当該金属冠の周囲の所定位置に設けられ前記金属冠を前記支台歯に被せた状態で前記金属冠の周面において前記支台歯の基端部から先端部に向けて延在する磁性材からなる凸条突出部を有し、
前記中間欠損歯用義歯は、少なくとも一本の義歯本体と、義歯本体が取付けられた義歯床と、前記中間欠損歯用義歯をこの両端に位置する各支台歯に取り付ける凸条摺動係合部であって、前記中間欠損歯用義歯を前記支台歯に取り付けた際に、前記各支台歯に被せる前記金属冠に備わる係合突出部が摺動可能な状態で嵌り込む凸条摺動係合部と、前記中間欠損歯用義歯の両端近傍であって前記２本の支台歯との結合部側の内部にそれぞれ収容された磁石とを備え、
前記凸条摺動係合部の前記義歯本体側端部には、前記凸条突出部が当接するストッパー部が設けられ、
前記係合突出部が前記凸条摺動係合部に係合することで、前記中間欠損歯用義歯が前記２本の支台歯に結合すると共に、前記中間欠損歯用義歯の義歯床が歯肉に接触することで、前記中間欠損歯用義歯を前記２本の支台歯に取り付けるようになっており、
前記中間欠損歯用義歯を前記支台歯に取り付けた際に、前記中間欠損歯用義歯に備わる各磁石が、これらそれぞれの近くに備わる金属冠の係合突出部に磁気引っ張り力を及ぼすことで前記中間欠損歯用義歯が前記２本の支台歯から外れないようにし、かつ
前記中間欠損歯用義歯が、前記２本の支台歯の間で前記磁気引っ張り力によって保持されながら当該２本の支台歯に対して所定の量だけ平行移動できるように、前記金属冠の係合突出部が前記中間欠損歯用義歯の凸条摺動係合部内で摺動可能となっており、
咬合した状態において、前記各凸条突出部が前記凸条摺動係合部のストッパー部に押し付けられることで、前記各凸条突出部を介して咬合力を前記２本の支台歯の歯根膜に伝えながら前記中間欠損歯用義歯と前記２本の支台歯で咬合可能としたことを特徴としている。
【００３６】
支台歯の歯根膜が健全なため、中間欠損歯用義歯の両端の支台歯にこの義歯をしっかりと取り付けてこれを支持することができる。これにより、支台歯と中間欠損歯用義歯とで十分な噛み心地を味わうことができる。また、磁石が義歯の内部に完全に収容されているので、磁性体による味覚への悪影響を防止すると共に、従来例に見られる咬合の際に破損した磁石やその破片等の誤飲の問題を生じさせずに済む。
【００３７】
また、本発明の請求項１１に係る義歯とその取付けアタッチメントは、請求項１０に記載の義歯とその取付けアタッチメントにおいて、
前記義歯の取り付け状態で見て、前記凸条突出部の歯肉側の端部とこれに対向する歯肉との間に所定の空間が形成されることを特徴としている。
【００３８】
この部分に所定の空間を形成させることができ、義歯を外して支台歯を歯ブラシ等で磨く際に、凸条突出部の歯肉側下端とこれに対向する歯肉上面との間に十分な隙間を確保することができ、この隙間に溜まった食べ物の食べカスを容易に取り除くことができる。その結果、この部分にこれら食べカスが詰まったままとならず、その後の虫歯や口臭の発生を防止することができる。
【００３９】
また、本発明の請求項１２に係る義歯とその取付けアタッチメントは、請求項１０又は請求項１１の何れかに記載の義歯とその取付けアタッチメントにおいて、
前記凸条に代えて前記溝部を摺動可能な突出部が前記金属冠に備わっていることを特徴としている。
【００４０】
このような構造であっても中間欠損歯用義歯を取り付けるための本発明に係る義歯とその取付けアタッチメントの作用を十分に発揮することができる。
【００４１】
また、本発明の請求項１３に係る義歯とその取付けアタッチメントは、請求項１０乃至請求項１２の何れかに記載の義歯とその取付けアタッチメントにおいて、
前記支台歯として天然歯の代わりにインプラントが用いられ、当該インプラントに前記金属冠を取り付けるようになったことを特徴としている。
【００４２】
健全な支台歯の代わりにインプラントを支台歯に用いる場合であっても、咬合力に伴う不適切なモーメントがインプラントに極力作用しないようにし、インプラントの破損を回避することができる。
【００４３】
また、本発明の請求項１４に係る中間欠損歯用義歯は、
請求項１０乃至請求項１３の何れかに記載の金属冠に取り付けることを特徴とする中間欠損歯用義歯である。
【００４４】
また、本発明の請求項１５に係る金属冠は、
請求項１０乃至請求項１３の何れかに記載の中間欠損歯用義歯に取り付けることを特徴とする金属冠である。
【発明の効果】
【００４５】
本発明によると、義歯の着脱が行い易く、かつ義歯装着者に優れた装着感と食事中の快適な咬み心地を与えることが可能な義歯とその取付けアタッチメントを提供することができる。
【図面の簡単な説明】
【００４６】
【図１】本発明の第１の実施形態に係る義歯とその取付けアタッチメントの構造を一部断面で示す側面図である。
【図２】図１に示した義歯とその取付けアタッチメントを一部断面で示す平面図である。
【図３】図１に示した義歯とその取付けアタッチメントの部分拡大図である。
【図４】第１の実施形態の作用を説明するための図１に対応する側面図である。
【図５】図３に示した義歯の一部を変更した形態を示す図３に対応する図である。
【図６】図１乃至図３に示した第１の実施形態に係る義歯とその取付けアタッチメントの取付け位置の一例を示す説明図である。
【図７】第１の実施形態の変形例を示す図１に対応する側面図である。
【図８】第１の実施形態の変形例を部分的に示す図２に対応する平面図である。
【図９】本発明の第２の実施形態に係る義歯とその取付けアタッチメントを一部断面で示す側面図である。
【図１０】図９に示した義歯とその取付けアタッチメントを一部断面で示す平面図である。
【図１１】第２の実施形態の作用を説明するための図９に対応する側面図である。
【図１２】図９及び図１０に示した第２の実施形態に係る義歯とその取付けアタッチメントの取付け位置の一例を示す説明図である。
【図１３】図９及び図１０に示した第２の実施形態を部分的に示す平面図（図１３（ａ）、及び第２の実施形態の第１変形例を部分的に示す平面図（図１３（ｂ））、並びに第２変形例を部分的に示す平面図（図１３（ｃ））、第３変形例を部分的に示す平面図（図１３（ｄ））である。
【図１４】第２の実施形態の第４変形例について部分的に示す側面図である。
【発明を実施するための形態】
【００４７】
以下、本発明に係る義歯とその取付けアタッチメントについて紹介する。本発明は、上述した通り本発明は歯根膜負担型義歯に関するものである。ここで歯根膜負担型義歯の定義と技術的意義について述べる。
【００４８】
歯の組織に関して上顎と下顎のそれぞれの歯肉の内側に埋め込まれたそれぞれの歯の歯根の部分はその表面は堅いセメント質で覆われ、歯根膜という非常に硬い繊維結合組織によって上顎と下顎のそれぞれの歯根の周囲の骨とつながっている。
【００４９】
それぞれの歯がこのような組織となっていることで、約３ＭＰａ〜約９ＭＰａ（１ｃｍ２当たり平均３０ｋｇ〜９０ｋｇ（１ｍ２当たり３００トン〜９００トン））と極めて大きい咬合力に耐えて食べ物を噛み砕くようになっている。
【００５０】
しかしながら、若い頃から強く咬む習慣のある人の場合、長年にわたって上述した大きな咬合力が歯根膜に加わり、歯根膜自体が圧迫されて損傷し顎骨の吸収を招き、歯の動揺が発生して高齢になるに従って歯の欠損が生じてしまう。
【００５１】
そのため、歯を強く噛む習慣のある人は、欠損した歯の部分に粘膜負担型義歯を装着して咬合時に義歯の支台歯に極力無理な咬合力が作用しないようにし、支台歯の歯根膜の損傷の進行を極力抑え、特に支台歯の数が減少している場合、義歯を取り付けるために必要不可欠な支台歯の更なる欠損を招かないようにする。
【００５２】
つまりこのような義歯の装着者の場合、特に欠損歯が多くなった場合、支台歯に取り付ける義歯には残りの支台歯の歯根膜の損傷が進行しないように粘膜負担型義歯を用いる。
【００５３】
一方、食事の際に上述したような強く咬む癖のない人は、高齢になっても一般的に歯根膜が健全な状態を保っており、仮に一部の歯根膜が傷んで歯が欠損していても欠損歯の数は少なく残存歯が多いことが通常である。このような人の場合、欠損歯に義歯を取り付ける場合であっても、支台歯の歯根膜が健全であることや、残存歯が多いため咬合力をそれぞれの残存歯に分散させながら咬合できる観点から、上述したような粘膜負担型義歯を用いることなく歯根膜負担型義歯を用いる。
【００５４】
なお、強く咬む癖のある人であっても残存歯が多い場合であれば、上述の同様の理由で咬合力をそれぞれの残存歯に分散させながら咬合できるため、歯根膜負担型義歯を支台歯に取り付けると共に、強くかむ癖をなくしていけばこの一旦取り付けた歯根膜負担型義歯を長期に亘って使い続けることができる。
【００５５】
このように状況に応じて歯根膜負担型義歯や粘膜負担型義歯を使い分けることで、近年の高齢化社会におけるクオリティオブライフの向上を図ることが今後重要になってくると言える。そして、本発明では歯根膜負担型義歯を用いる場合を前提として、本発明特有の構成をこの効果と共に以下の実施の形態及びその変形例で説明していく。
【００５６】
なお、以下の第１及び第２の実施形態並びにそれらの変形例の説明において、各構成要素を図面においても示しているが、各図面における各構成要素の形状及び寸法についてはそれぞれを厳密に一致させていない。これは、これらの形状及び寸法のそれぞれの違いについては、当然に全て本発明の範囲内に含まれるため、説明の便宜上あえて分かり易く異なるようにしているためである。従って、各図面における各構成要素の形状や寸法関係の違いについては、本発明の範囲内に全く影響を与えるものでないことを付言しておく。
【００５７】
また、各図面と関連した説明において、上下方向は、上側を義歯の人工歯（義歯本体）側、下側を義歯床側とした方向を基準として定める。また、平面視とは、義歯の歯の先端側から見た状態とする。また、図面中ハッチングすべきところを説明の理解の容易化のために適宜省略している。
【００５８】
最初に本発明の第１の実施形態に係る義歯とその取付けアタッチメントについて図面に基づいて詳細に説明する。図１は、本発明の第１の実施形態に係る義歯とその取付けアタッチメントの構造を一部断面で示す側面図である。また、図２は、図１に示した義歯とその取付けアタッチメントを一部断面で示す平面図である。また、図３は、図１に示した義歯とその取付けアタッチメントの部分拡大図である。
【００５９】
本発明の第１の実施形態に係る義歯とその取付けアタッチメント１（以下、適宜単に「義歯とその取付けアタッチメント１」とする）は、一本の支台歯８０に取り付ける遊離端義歯１０とその取付けアタッチメント２０からなる。
【００６０】
そして、取付けアタッチメント２０は、一本の支台歯８０に取り付ける金属冠２１０と、金属冠２１０の周囲の所定位置に備わり少なくとも周面の一部が湾曲した磁性体からなる突出部２２０を有している。
【００６１】
突出部２２０は、本実施形態では略球状体をなしている。より詳細には、突出部２２０は、図３に示すように球状体の基端側の下の部分、即ち支台歯８０の根元側の部分が凹んでおり、同図に示す状態においては、この下側凹み部２２２に後述する凹み付き係合部１３０の下端から延在する下端部１３５の先端１３６が入り込んで係合するようになっている。なお、突出部２２０は磁性材でできており、かつ強度と耐久性や耐食性に優れた例えばステンレス鋼や金の合金、白金の合金等が用いられている。
【００６２】
突出部２２０は、金属冠２１０の周面の一部に突出部２２０の基端部２２１が鋳造時に第三合金による合着、鋳造金属による把持、又は蝋着され、この金属冠２１０の周面から突出部２２０が遊離端義歯１０の装着方向に突出するようになっている。
【００６３】
そして、後述する磁石１４０が、磁性体からなる突出部２２０に磁気引っ張り力を作用させて遊離端義歯１０が支台歯８０から離れないようにしている。また、図３に示す状態においては、下端部１３５の先端１３６が突出部２２０の下側凹み部２２２に引っ掛かって遊離端義歯１０が支台歯８０から離れないようにするのを補助している。
【００６４】
遊離端義歯１０は、少なくとも一本の義歯本体１１０（１１１，１１２，１１３,・・・）と、義歯本体１１０を支える義歯床１２０と、支台歯８０に隣接させる端部に配置された凹み付き係合部１３０と、磁石ホルダー１５０に収容された上で義歯本体１１０や義歯床１２０に埋め込まれ遊離端義歯１０との結合部側に備わる磁石１４０を有している。
【００６５】
本実施形態の場合、凹み付き係合部１３０は、磁石ホルダー１５０と一体となって形成されている。凹み付き係合部１３０及び磁石ホルダー１５０は、耐久性や強度、耐食性に優れた例えばステンレス鋼でできており、磁石ホルダー１５０の部分は、義歯用樹脂でできた義歯本体１１０及び義歯床１２０の中に埋め込まれている。なお、凹み付き係合部１３０と磁石ホルダー１５０は、必ずしも一体に形成されている必要はなく、これらを別体に形成して互いにしっかりと結合しても良い。
【００６６】
本実施形態がこのような構成を有することで、磁石１４０が義歯装着者の口の中に露出することがなく、磁石１４０の材質によって味覚に違和感を憶えたり、磁石１４０の破片が口の中に入ったりするのを防いでいる。
【００６７】
凹み付き係合部１３０は、遊離端義歯１０を支台歯８０に取り付けた状態で見て、支台歯８０と対向する面側に突出部２２０が嵌り込む凹み部１３１を有している。更には、凹み付き係合部１３０の義歯床側の下端部１３５（図１及び図３の下側端）に、遊離端義歯１０を支台歯８０に取り付けた状態で歯肉８００の表面と一定の間隔を隔てている（図１及び図３に示す空間Ｓ１参照）。
【００６８】
凹み部１３１の大きさは、凹み部１３１に突出部２２０を係合させるために挿入する際に互いに干渉しない寸法となっている。これにより、遊離端義歯１０を支台歯８０に取り付けた状態において、突出部２２０は、遊離端義歯１０に備わった磁石１４０の吸引力や場合に応じてその下側凹み部２２２と下端部１３５の先端１３６との係合力によって凹み部１３１に押し付けられている。
【００６９】
そして、突出部２２０が略球状体を有することで、凹み付き係合部１３０は、凹み部１３１に嵌合した突出部２２０を支点として、いわゆるユニバーサルジョイントのように動くようになっている。具体的には、突出部２２０を嵌合した状態で収容する凹み付き係合部１３０が、突出部２２０の中心を回転中心として所定の中心角度範囲内で動くことで、遊離端義歯１０の延在方向が、支台歯８０の中心軸線に対して所定の延在角度範囲内で変化できるようになっている。
【００７０】
また、下端部１３５は、遊離端義歯１０を支台歯８０に取り付けた状態において、遊離端義歯１０の義歯床１２０がその底面全体に唾液を介在させながらくっ付いている歯肉８００の上面に対して一定の空間Ｓ１を隔てて対向配置するようになっている。
【００７１】
また、凹み部１３１の下端部１３５と反対側の端部、即ち図１及び図３の上側端部は、義歯本体１１０の一部によって塞がれている。
【００７２】
以上のような構成に基づいて、遊離端義歯１０を支台歯８０に取り付けた状態で見て、咬合前においては、図１に示すように、突出部２２０が凹み付き係合部１３０に係合することで、遊離端義歯１０が支台歯８０に結合すると共に、遊離端義歯１０の義歯床１２０の底面が口の中の唾液（図１中ドットＤで示す部分参照）を介して歯肉８００の上面に全面的に密着することで、遊離端義歯１０を支台歯８０に所定の遊びを保ちながらしっかりと取り付けるようになっている。
【００７３】
また、遊離端義歯１０を支台歯８０に取り付けた状態において、凹み付き係合部１３０には、突出部２２０が嵌まり込むと共に、突出部２２０の湾曲部の少なくとも一部（本実施形態ではかなりの部分）が凹み付き係合部１３０内に磁気引っ張り力によって留まりながら、支台歯８０に対する遊離端義歯１０の相対位置や相対角度が所定の範囲内で変化可能となっている。
【００７４】
なお、遊離端義歯１０は、咬合時に咬合力が義歯本体１１０に作用した際（図４に示す力Ｆ１参照）、義歯床１２０の支台歯８０と反対側の端部（図４における右側端部）が歯肉８００に押し付けられて動かなくなるまで、凹み付き係合部１３０に嵌合した突出部２２０を回転中心として動くようになっている。
【００７５】
これにより、咬合前に義歯床１２０の下面全体に介在する唾液（図１に示すドット状の部分Ｄ参照）のうち、咬合の際には支台歯８０と反対側の義歯床１２０と歯肉８００との間に介在した唾液が押し出され、この部分の義歯床１２０と歯肉８００とが唾液を介さず密着することになる（図４に示すドット状の部分Ｄの介在位置参照）。
【００７６】
本発明の第１の実施形態に係る義歯とその取付けアタッチメント１が上述のような構成を有することで、以下の作用効果を発揮することができる。具体的には、咬合時に遊離端義歯１０の支台歯８０と反対側の端部が歯肉８００に押し付けられて押さえられると共に、遊離端義歯１０の支台歯側の端部が咬合力の一部を支台歯８０のほぼ軸線方向のみに作用させることができる（図１に示す状態から図４に示す状態の変化及び図４における咬合力Ｆ１参照）。
【００７７】
これにより、遊離端義歯１０に加わる咬合力を支台歯８０と遊離端義歯１０の歯肉８１に押し付けられる部分で均等に負担することができ、咬合力が支台歯８０のみに加わるのを阻止でき、支台歯８０の負担軽減に貢献する。
【００７８】
また、遊離端義歯１０の延在方向が支台歯８０の中心軸線に対して咬合時においても角度変化することなく咬合前と同じような状態を維持する形態を有する遊離端義歯において生じる好ましくないモーメント、即ち支台歯８０をその咬合前の中心軸線に対して傾けるモーメントの発生を抑制する。
【００７９】
その結果、歯根膜８１の遊離端義歯側が押し潰されて過度の圧縮応力が発生したり、歯根膜８１の遊離端義歯１０と反対側が無理やり引っ張られて過度の引っ張り応力が発生したりするのを防止する。
【００８０】
即ち、支台歯８０に対して、これに遊離端義歯１０を取り付ける前の咬合力が作用する力のかかり具合（掛かる力及びその作用方向）と同等の力のかかり具合（掛かる力及びその作用方向）を維持することができる。これによって、歯根膜８１の健全な状態を保ち、支台歯８０を傷めることなく長持ちさせると共に、支台歯８０に取り付けた遊離端義歯１０を長期に亘って使い続けることができる。
【００８１】
また、強く咬む癖のある人であっても、残存歯の多い状態でこの歯根膜負担型の遊離端義歯１０を支台歯８０に取り付けると共に強く咬む習慣を改めていけば、更なる残存歯の欠損を防ぐと共に、この支台歯の歯根膜の状態を悪化させずに支台歯８０の欠損を防ぎ、かつ支台歯８０に取り付けられた遊離端義歯１０を長期に亘って使い続けることができる。
【００８２】
また、遊離端義歯１０の咬合時の傾きによって生じる突出部２２０に及ぼす力を、義歯を備えない通常の咬合時と同じように支台歯８０の軸線方向に作用させることができる。この作用により、突出部２２０を遊離端義歯１０に向かって引っ張るような方向、即ち支台歯８０の軸線方向と交差する横方向に作用するのを抑える。これにより、咬合時においても支台歯８０を遊離端義歯１０に向かって引っ張りながら倒すような従来例で生じる問題のある現象を生じさせずに済む。
【００８３】
その結果、支台歯８０の遊離端義歯側の歯根膜（図４における右側の歯根膜）８１の線維組織を無理矢理潰したり、支台歯８０の遊離端義歯１０と反対側の歯根膜（図４における左側の歯根膜）８１の線維組織を無理矢理引き延ばしたりすることなく、義歯を装着した後に長期間の咬合によって歯根膜８１が傷むのを阻止し、義歯を長期に亘って使用し続けることができる。
【００８４】
また、凹み付き係合部１３０と遊離端義歯１０の義歯床１２０が接触する歯肉８００の間に空間Ｓ１を形成することで、遊離端義歯１０を支台歯８０に取り付ける際や取り外す際に凹み付き係合部１３０が歯肉８００に押し付けられることなく、遊離端義歯１０の支台歯８０に対する着脱を簡単かつ快適に行うことができる。
【００８５】
また、凹み付き係合部１３０と遊離端義歯１０の義歯床１２０が接触する歯肉８００の間に空間Ｓ１が形成されていることで、義歯を外した後に金属冠２１０の突出部２２０とこれに対向する歯肉８００との間には更に広い隙間が存在することになる。このような隙間を生じさせることで、義歯を外して支台歯８０を歯ブラシ等で磨く際にこの隙間に溜まった食べ物の食べカスを容易に取り除くことができる。その結果、この部分にこれら食べカスが詰まったままとならず、その後の虫歯や口臭の発生を防止することができる。
【００８６】
また、凹み部１３１の開口部の大きさが突出部２２０を係合させるために挿入する際に干渉しない寸法となっており、磁石１４０の吸引力のみで突出部２２０を凹み部１３１に嵌め込むようにすることで、凹み部１３１の開口部と突出部２２０の間の寸法公差を厳密に管理する必要がなくなる。これにより、遊離端義歯１０のコストダウンを図ることができると共に、遊離端義歯１０を支台歯８０に取り付けたり取り外したりする際に簡単に着脱することができる。
【００８７】
その結果、義歯装着者に快適な装着感や咬み心地を与えることができ、食べ物を咬む間中気持ちよく咬み続けることができ、ストレスを受けることなく遊離端義歯１０を装着し続けかつ食事を楽しむことができるようになる。これによって、食べ物をきちんと消化することができ、特に高齢者にとって重要な健康の維持を図りつつ体調の向上に貢献することができる。
【００８８】
また、咬合時に支台歯８０と遊離端義歯１０の間に余分な隙間ができることはなく、このような隙間に挟まって咬み潰すことができない食べ物がそのまま飲み込まれて胃腸における消化不良を招く虞もない。
【００８９】
以上の通り、遊離端義歯１０の延在方向を支台歯８０の中心軸線に対して所定の角度範囲内で無理なく変化させることができる。これにより、咬合時に支台歯８０と遊離端義歯１０の接続部分に無理な力を加えずに済む。同様に、義歯装着者に快適な装着感を与えることができると共に、支台歯８０に過大な応力がかからずに支台歯８０を長持ちさせることができる。
【００９０】
その結果、支台歯８０に過大な力がかかって歯根膜８１を痛めたり歯根膜自体を潰したりしてしまうのを回避し、貴重な支台歯８０の欠損を防ぐことができる。また、義歯の結合部の破損によって歯肉８００を傷つけることなくかつ破損部分の誤飲という問題も生じさせずに済む。
【００９１】
また、咬合時に遊離端義歯１０の支台歯８０と反対側の端部が歯肉８００に押し付けられて押さえられると共に、遊離端義歯１０の支台歯側の端部が咬合力の一部を支台歯８０のほぼ軸線方向のみに作用させることができる。これにより、遊離端義歯１０の延在方向が支台歯８０の中心軸線に対して角度変化することなく咬合前と同じような状態を維持した形態を有する遊離端義歯の使用に伴う好ましくないモーメント、即ち支台歯をその中心軸線に対して傾けるモーメントの発生を抑制する。
【００９２】
その結果、歯根膜８１の遊離端義歯側が押し潰されて過度の圧縮応力が発生したり、歯根膜８１の遊離端義歯と反対側が無理やり引っ張られて過度の引っ張り応力が発生したりするのを防止する。
【００９３】
これにより、歯根膜８１の健全な状態を保ち、支台歯８０を傷めることなく長持ちさせると共に、支台歯８０に取り付けた遊離端義歯１０を長期に亘って使い続けることができる。
【００９４】
また、強く咬む癖のある人であっても、残存歯の多い状態でこの歯根膜負担型の遊離端義歯１０を支台歯８０に取り付けると共に強く咬む習慣を改めていけば、更なる残存歯の欠損を防ぐと共に、支台歯８０の歯根膜８１の状態を悪化させずに支台歯８０の欠損を防ぎ、かつ支台歯８０に取り付けられた遊離端義歯１０を長期に亘って使い続けることができる。
【００９５】
また、遊離端義歯１０の咬合時の傾きによって生じる突出部２２０に及ぼす力が義歯を備えない通常の咬合時と同じように支台歯８０の軸線方向に作用し、突出部２２０を遊離端義歯１０に向かって引っ張るような方向、即ち支台歯８０の軸線方向と交差する横方向に作用するのを抑える。その結果、咬合時においても支台歯８０を遊離端義歯１０に向かって引っ張りながら倒す形態を有する従来の遊離端義歯において生じる問題を回避することができる。
【００９６】
その結果、支台歯８０の遊離端義歯側の歯根膜８１の線維組織を無理矢理潰したり、支台歯８０の遊離端義歯１０と反対側の歯根膜８１の線維組織を無理矢理引き延ばしたりすることなく、遊離端義歯１０を装着した後に長期間の咬合によって歯根膜８１が傷むのを阻止する。
【００９７】
なお、遊離端義歯１０を支台歯８０に取り付ける際には、遊離端義歯１０を指先でその延在方向周りに捻りながら支台歯８０の突出部２２０に遊離端義歯１０の一方の端部に備わった凹み部１３１を押し付けて遊離端義歯１０を支台歯８０に取り付ける。一方、遊離端義歯１０を支台歯８０から取り外す際には、遊離端義歯１０を指先でその延在方向周りに捻りながら支台歯８０の突出部２２０から遊離端義歯１０の一方の端部に備わった凹み部１３１を外すことで遊離端義歯１０を支台歯８０から取り外す。
【００９８】
上述した支台歯８０に対する遊離端義歯１０の着脱の際に、下端部１３５と遊離端義歯１０の義歯床１２０が接触する歯肉８００の間に空間Ｓ１が形成されているので、下端部１３５が歯肉８００に押し付けられることなく、遊離端義歯１０の支台歯８０の着脱を簡単かつ痛みを伴うことなく快適に行うことができる。
【００９９】
特に、突出部２２０が略球状体をなしていることで、遊離端義歯１０を支台歯８０に取り付けたり取り外したりする際に突出部２２０の湾曲面を利用して抵抗を受けることなく滑らかに着脱を行うことができる。また、義歯の着脱に伴って遊離端義歯１０を支台歯８０に対して押し付けたり引っ張ったりする際に、この押しつけ方向や引っ張り方向にある程度の自由度を持たせることができ、義歯の着脱が行い易くなる。その結果、特に指先を器用に動かすことのできない義歯装着者が遊離端義歯１０の支台歯８０の着脱を一人で簡単に行うことができる。
【０１００】
以上のことにより、通常の使用状態では遊離端義歯１０が支台歯８０から外れにくく、指でつまんで取り付ける際や取り外す際の義歯の着脱が大変行い易くなっている。
【０１０１】
また、下端部１３５と遊離端義歯１０の義歯床１２０が接触する歯肉８００の間に空間Ｓ１が形成されていることで、遊離端義歯１０を外した後に金属冠２１０の突出部２２０とこれに対向する歯肉８００との間には更に広い隙間が存在することになる。このような隙間を生じさせることで、遊離端義歯１０を外した後に支台歯８０を歯ブラシ等で磨く際に、突出部２２０と歯肉８００上面との間に十分な隙間を確保することができる。その結果、この隙間に溜まった食べ物の食べカスを容易に取り除くことができ、これらの食べカスが詰まったままとならず、その後の虫歯や口臭の発生を防止することができる。
【０１０２】
また、凹み部１３１の下端部１３５と反対側の端部（図１及び図３中上側端部）が義歯本体１１０の一部で塞がれていることで、食べ物を咬んでいる最中に凹み部１３１の中に食べ物が入り込んで詰まるのを確実に防止できる。
【０１０３】
また、凹み部１３１の溝幅が突出部２２０を係合させるために挿入する際に干渉しない寸法となっており、磁石１４０の吸引力のみで突出部２２０を凹み部１３１によって保持するようにすることで、凹み部１３１と突出部２２０の間の寸法公差を厳密に管理する必要がなくなる。これにより、義歯１０の凹み部加工上のコストダウンを図ることができると共に、義歯１０を支台歯８０に取り付けたり取り外したりする際に簡単に着脱することができる。
【０１０４】
なお、磁石１４０の磁力をそれなりに強力なものとすれば、磁力の吸引力のみであっても遊離端義歯１０を支台歯８０にしっかりと結合させておくことができる。しかしながら、図１や図３に示したように突出部２２０である球状体の下部に凹み部２２２を設けてこの部分に下端部１３５の先端１３６を係合させて磁石１４０の吸引力に加えてこの係合力を補助的な力として利用することで、突出部２２０が凹み部１３１から離れるのを防止する複雑な構造を取らずに済む。即ち、下端部１３５の形状をより簡単なものとすることができ、この部分の加工コストの低減を図ることができる。
【０１０５】
図５は、この下端部１３５の形状を上述の記載に従って変更したより簡単な構成の下端部１３７を示している。これに伴って、第１の実施形態の突出部２２０の下側部分に備わった下端部１３５の先端１３６を係合する下側凹み部２２２が図５に示す構成においては示されていない。即ち、図５においては、下側部分に凹みのない球体状の突出部２２０が備わっている。このような形態であっても本発明の範囲に属するものである。
【０１０６】
図６は、図１乃至図３に示した本発明の第１の実施形態に係る義歯とその取付けアタッチメント１の取付け位置の一例を示す説明図である。この図においては、この第１の実施形態に係る遊離端義歯１０を支台歯８０に下側の歯の両側の欠損した奥歯の部分に取り付けているが、これと同じように上側の歯の欠損した部分に取り付けても良い。即ち、遊離端義歯１０を取り付ける支台歯８０が１本でも適当な場所に残っていれば、同図の取り付け状態には限定されずあらゆる部分に第１の実施形態を適用することができる。
【０１０７】
また、場合に応じて遊離端義歯１０の支台歯８０との結合側と反対になる自由端部であって口を大きく開いても外から見えにくい位置にクラスプ等の固定具を備え、この自由端部側の残存歯にも係合させて遊離端義歯１０をよりしっかりと取り付けるようにしても良い。
【０１０８】
なお、上述の実施形態とは異なり、突出部は、略半球状をなしていても良い。突出部が略半球状をなしていても、上述の作用を容易に実現することができる。
【０１０９】
続いて、上述した第１の実施形態の変形例について説明する。図７は、第１の実施形態の変形例を示す図１に対応する側面図である。また、図８は、第１の実施形態の変形例を部分的に示す図２に対応する平面図である。なお、上述の実施形態と同等の構成に関しては、必要に応じて対応する符号を付してその構造の詳細な説明については省略する。また、図８においては説明の理解の容易化を図るために断面ハッチングを省略する。
【０１１０】
この変形例においては、突出部２６０は、金属冠２１０との接続部２６１の太さが突出部２６０のそれ以外の部分よりも細くなっている。また、凹み付き係合部１６０の形状についても上述の実施形態と若干異なっている。
【０１１１】
具体的には、凹み部１６１の支台歯側開口部の幅１６１ａは、義歯装着者の指による押し込み力や引っ張り力によって支台歯８０に対して遊離端義歯１０Ａを着脱可能とするために、遊離端義歯１０Ａの装着時において磁石１４０が突出部２６０に及ぼす磁気吸引力に加えて凹み部１６１の開口部が突出部２６０に及ぼす係合力によって突出部２６０が凹み部１６１から外れるのを防止する程度に寸法決めされている。
【０１１２】
図面に基づいて説明すると、凹み付き係合部１６０の凹み部１６１の支台歯側開口部の幅１６１ａは、突出部２６０の最大幅の部分、即ち図８における突出部２６０の直径２６０ａよりも若干狭く、かつその凹み部内の幅１６１ｂは、突出部２６０の最大幅の部分、即ち図８における突出部２６０の直径２６０ａよりも若干広くなっている。
【０１１３】
凹み部１６１と突出部２６０の相対関係がこのような互いにいわゆるラッチ係合するような寸法関係を有することで、突出部２６０が凹み部１６１に一旦係合すると、磁石１４０から受ける吸引力と相まって突出部２６０が凹み部１６１から抜けにくくなる。
【０１１４】
これによって、遊離端義歯１０Ａを支台歯８０に一旦取付ければ支台歯８０から遊離端義歯１０Ａが簡単に外れることはなくなり、比較的硬い食べ物でも十分に味わいつつかつ消化し易いようにしっかりと咬み込んで食べることができる。
【０１１５】
なお、この変形例においても、図５に示した先端がフック状となっていない下端部１３７の形態を適用可能であることは言うまでもない。
【０１１６】
続いて、本発明の第２の実施形態に係る義歯とその取付けアタッチメントについて図面に基づいて詳細に説明する。なお、この第２の実施形態に係る発明についても第１の実施形態及びその変形例に係る歯根膜負担型の義歯の発明に関するものである。ここで、歯根膜負担型の義歯の定義及びその技術的意義については、発明を実施するための形態の冒頭に記載した内容を流用する。
【０１１７】
図９は、本発明の第２の実施形態に係る義歯とその取付けアタッチメントを一部断面で示す側面図である。また、図１０は、図９に示した義歯とその取付けアタッチメントを一部断面で示す平面図である。また、図１１（ａ）は、第２の実施形態の作用を説明するための図９に対応する側面図である。なお、上述の第１の実施形態及びその変形例と同等の構成については、対応する符号を図面に適宜付して文章による詳細な説明を省略する。
【０１１８】
本発明の第２の実施形態に係る義歯とその取付けアタッチメント２（以下、適宜単に「義歯とその取付けアタッチメント２」とする）は、少数残存歯のうちの歯欠損部分を挟む２本の両端支台歯９１，９２（９０）にそれぞれ取付けアタッチメント６０，７０を介して中間欠損歯用義歯５０を取り付ける義歯とその取付けアタッチメントである。
【０１１９】
取付けアタッチメント６０，７０は、金属冠６１０，７１０を各支台歯９１，９２（９０）にそれぞれ被せた状態で金属冠６１０，７１０の周面において支台歯９１，９２（９０）の基端部から先端部に向けて延在する磁性材からなる凸条突出部６３０，７４０を有している。
【０１２０】
中間欠損歯用義歯５０は、少なくとも一本の義歯本体５１０（５１１，５１２，５１３,・・・）と、義歯本体５１０が取り付けられた義歯床５２０と、中間欠損歯用義歯５０をこの両端に位置する各支台歯９１，９２（９０）に取り付ける係合部であって、各支台歯９１，９２（９０）に被せる金属冠６１０，７１０に備わる凸条突出部６３０，７４０が摺動可能な状態で嵌り込む凸条摺動係合部５３０，５４０と、中間欠損歯用義歯５０の両端近傍であって２本の支台歯９１，９２（９０）との結合部側の内部にそれぞれ収容された磁石５５０，５６０とを備えている。
【０１２１】
本実施形態の場合、凸条突出部６３０，７４０は、図１０及び図１３（ａ）に示すように端面視（平面視）略円形を有し、凸条摺動溝部５３１，５４１は、凸条突出部６３０，７４０をスライド（摺動）可能に保持するために凸条突出部６３０，７４０の平面視略円形の外径より若干大きい略円形の断面形状を有している。
【０１２２】
また、中間欠損歯用義歯５０の両端に形成された凸条摺動係合部５３０，５４０は、第１の実施形態と同様にそれぞれ突出部側と反対側に延在した磁石ホルダー５７０，５８０と一体となって形成されている。凸条摺動係合部５３０，５４０及び磁石ホルダー５７０，５８０についても、第１の実施形態と同様に耐久性や強度、耐食性に優れた例えばステンレス鋼でできており、磁石ホルダー５７０，５８０の部分は、義歯用樹脂でできた義歯本体５１０の中に埋め込まれている。これによって、第１の実施形態と同様に磁石ホルダー５７０，５８０に収容された磁石５５０，５６０が中間欠損歯用義歯５０の外側に露出しないようになっている。
【０１２３】
そして、凸条突出部６３０，７４０が凸条摺動係合部５３０，５４０の凸条摺動溝部５３１，５４１に摺動可能に係合することで、中間欠損歯用義歯５０が２本の支台歯９１，９２（９０）に結合すると共に、中間欠損歯用義歯５０の義歯床５２０がその底面全体に唾液を介在させながら歯肉８００に密着することで、中間欠損歯用義歯５０を２本の支台歯９１，９２（９０）に取り付けるようになっている。
【０１２４】
また、中間欠損歯用義歯５０に備わる各磁石５５０，５６０が、これらそれぞれの近くに備わる金属冠６１０，７１０の凸条突出部６３０，７４０に磁気引っ張り力を及ぼすことで、中間欠損歯用義歯５０が２本の支台歯９１，９２（９０）から外れないようにしている。
【０１２５】
また、中間欠損歯用義歯５０を支台歯９１，９２（９０）に取り付ける際に、中間欠損歯用義歯５０が２本の支台歯９１，９２（９０）の間で磁気引っ張り力によって保持されながら２本の支台歯９１，９２（９０）に対してそれらの上下方向（長手方向）に所定の量だけ平行移動できるようにするために、金属冠６１０，７１０の凸条突出部６３０，７４０が中間欠損歯用義歯５０の凸条摺動係合部５３０，５４０内で摺動可能となっている。
【０１２６】
そして、凸条突出部６３０，７４０が凸条摺動係合部５３０，５４０の義歯先端側溝端部５３０ｂ,５４０ｂに突き当たることで、中間欠損歯用義歯５０がこの両端を挟む２本の支台歯９１，９２（９０）にしっかり取り付けられるようになっている。
【０１２７】
即ち、凸条摺動係合部５３０，５４０の義歯先端側溝端部５３０ｂ，５４０ｂは、凸条突出部６３０，７４０のスライド移動の際の義歯取付け用ストッパーとしての役目を果たしている。このように、義歯先端側溝端部５３０ｂ，５４０ｂが義歯取り付け用ストッパーをなすことで、咬合時の咬合力を各支台歯９１，９２にそれぞれ均等に伝える。
【０１２８】
また、義歯先端側溝端部５３０ｂ，５４０ｂが義歯取付け用ストッパーとなっていることで、義歯本体５１０の内側部分によって塞がれており、食べ物を食べる際に歯を咬んだときに凸条摺動係合部内に食べ物の食べカスが入り込まないようになっている。
【０１２９】
また、中間欠損歯用義歯５０の取り付け状態で見て、凸条摺動係合部５３０，５４０の歯肉側の義歯床側端部５３０ａ，５４０ａとこれに対向する歯肉８００との間には所定の空間Ｓ３，Ｓ４が形成されている。
【０１３０】
そして、凸条摺動係合部５３０，５４０の義歯床側端部５３０ａ，５４０ａは開口しており、中間欠損歯用義歯５０を支台歯９１，９２（９０）に取り付ける際に支台歯９１，９２（９０）の凸条突出部６３０，７４０の上端をこの凸条摺動溝部内に挿入できるようにしている。
【０１３１】
なお、これらの挿入部にはテーパー加工を施しておくことが良い。これにより中間欠損歯用義歯５０をこの両端の支台歯９１，９２（９０）に取り付ける際に、中間欠損歯用義歯５０の両端の凸条摺動係合部５３０，５４０を各支台歯９１，９２（９０）の凸条突出部６３０，７４０に無理なく同時に挿入でき、中間欠損歯用義歯５０の支台歯９１，９２（９０）への取り付けを義歯装着者が簡単に行うことが可能となる。
【０１３２】
なお、中間欠損歯用義歯５０をこの両端の支台歯９１，９２（９０）に嵌め込み易いように、凸条突出部６３０，７４０の上端の角縁部が面取りされているかテーパー形状になっていると共に、凸条摺動溝部５３１，５４１の義歯床側端部５３０ａ，５４０ａであって凸条突出部６３０，７４０が入り込む位置に形成された溝部５３１，５４１の下端開口部が全体的に面取りされているかテーパー形状を有しているのが良い。
【０１３３】
図１２は、図９及び図１０に示した第２の実施形態に係る義歯とその取付けアタッチメント２の取付け位置の一例を示す説明図である。この図においては、この第２の実施形態に係る中間欠損歯用義歯５０を、これを挟む支台歯９１，９２（９０）に対して上からスライド移動させて取り付けた一例を示しているが、これと同じように上側の２本の歯で挟まれる歯の欠損部分に中間欠損歯用義歯５０を下からスライド移動させて取り付けても良い。
【０１３４】
このような上側の歯の欠損部分に本実施形態に係る中間欠損歯用義歯５０を取り付ける場合であっても、磁石５５０，５６０がそれぞれ凸条突出部６３０，７４０を磁力でしっかりと保持しながら、凸条突出部６３０，７４０を凸条摺動溝部５３１，５４１の義歯先端側溝端部５３０ｂ，５４０ｂに突き当てることで、中間欠損歯用義歯５０を支台歯９０にしっかりと取り付けることができる。
【０１３５】
このように、図１２に示す配置状態以外でも、２本の支台歯９１，９２（９０）の間に少なくとも一箇所だけでも歯の中間欠損部分が存在すれば、上下の歯の如何に関わらず本実施形態を適用可能である。
【０１３６】
本発明の第２の実施形態に係る中間欠損歯用義歯５０をこの両端の支台歯９１，９２（９０）に取り付けた場合、本発明の解決すべき課題の欄で述べた問題点を全て一気に解決することができる。
【０１３７】
具体的には、支台歯９１，９２の歯根膜８１，８２が健全なため、中間欠損歯用義歯５０の両端の支台歯９１，９２にこの義歯をしっかりと取り付けてこれを支持することができる。これにより、支台歯９１，９２と中間欠損歯用義歯５０とで十分な噛み心地を味わうことができる。
【０１３８】
また、磁石５５０，５６０が中間欠損歯用義歯５０の内部に完全に収容されているので、磁性体による味覚への悪影響を防止すると共に、従来例に見られる咬合の際に破損した磁石やその破片等の誤飲の問題を生じさせずに済む。
【０１３９】
また、義歯装着後、咬合時において支台歯９１，９２に対してこれを倒そうとするモーメントの発生を抑えることができるので、支台歯９１，９２の破損を防止することができる。
【０１４０】
また、咬合時に生じる凸条突出部６３０，７４０に及ぼす力が義歯を備えない通常の咬合時と同じように支台歯９１，９２の軸線方向に作用し、凸条突出部６３０，７４０を中間欠損歯用義歯５０に向かって引っ張るような方向、即ち支台歯９１，９２の軸線方向と交差する横方向に作用するのを抑える。その結果、咬合時においても支台歯９１，９２を中間欠損歯用義歯５０に向かって引っ張りながら倒す形態を有する従来の中間欠陥歯用義歯を用いることで生じる問題を回避することができる。
【０１４１】
即ち、支台歯９１，９２の中間欠損歯用義歯側の歯根膜８１，８２の線維組織を無理矢理潰したり、支台歯９１，９２の中間欠損歯用義歯５０の反対側の歯根膜８１，８２の線維組織を無理矢理引き延ばしたりすることなく、義歯を装着した後に長期間の咬合によって歯根膜８１，８２が傷むのを阻止する。
【０１４２】
また、中間欠損歯用義歯５０の取り付け状態で見て、凸条突出部６３０，７４０の歯肉側の端部とこれに対向する歯肉８００との間に所定の空間Ｓ３，Ｓ４が形成されていることで、中間欠損歯用義歯５０を外して支台歯９１，９２（９０）を歯ブラシ等で磨く際に、凸条突出部６３０，７４０の歯肉側下端とこれに対向する歯肉上面との間に十分な隙間を確保することができ、この隙間に溜まった食べ物の食べカスを容易に取り除くことができる。その結果、この部分にこれら食べカスが詰まったままとならず、その後の虫歯や口臭の発生を防止することができる。
【０１４３】
また、上述の空間Ｓ３，Ｓ４が存在することで、中間欠損歯用義歯５０を外した後に支台歯９１，９２（９０）を歯ブラシ等で磨く際に、第１の実施形態及びその変形例と同様に凸条突出部６３０，７４０の歯肉側下端とこれに対向する歯肉上面との間に十分な隙間を確保することができる。これによって、この隙間に溜まった食べ物の食べカスを容易に取り除くことができる。その結果、この部分にこれら食べカスが詰まったままとならず、その後の虫歯や口臭の発生を防止することができる。
【０１４４】
また、凸条摺動係合部５３０，５４０の義歯先端側溝端部５３０ｂ，５４０ｂが、凸条突出部６３０，７４０のストッパーをなすため、咬合時に咬合力（図１１のＦ２参照）が各義歯先端側溝端部５３０ｂ，５４０ｂから凸条突出部６３０，７４０を介して健全な歯根膜８１，８２を有する支台歯９１，９２に均等に伝わる。
【０１４５】
これにより、義歯装着者は咬合することに中間欠損歯用義歯５０の快適な装着感及び咬み心地を味わうことができる。その結果、上述したように食べ物を咬む間中気持ち良く咬み続けることができ、ストレスを受けることなく食事を楽しむことが可能となる。これにより、食べ物の良好な消化吸収を図ることにより、高齢者にとって特に重要な健康の維持や体調面での向上を図ることができる。
【０１４６】
続いて、上述した第２の実施形態の変形例について説明する。図１３（ｂ）は、第２の実施形態の第１変形例を部分的に示す平面図、図１３（ｃ）は、第２変形例を部分的に示す平面図、図１３（ｄ）は、第３変形例を部分的に示す平面図である。
【０１４７】
なお、図１３及び図１４においては、義歯の左側部分のみを示しているが、右側も同様の構成であるため、右側の図示は省略し、左側の符号に右側の省略した部分の符号を括弧書きで付すようにしている。
【０１４８】
これらの変形例においては、凸条突出部の端面視を略円形に代えて他の形状にすると共に、これが係合してスライド移動するための凸条摺動溝部の断面形状を凸条突出部の形状に合わせて変更している。
【０１４９】
具体的には、図１３（ｂ）に示すように、凸条突出部６３２，７４２の形状が端面視、即ち義歯の上面側から見て略矩形状となっていても良い。この場合、凸条摺動溝部５３２，５４２の断面形状は、この凸条突出部６３２，７４２に合わせてこれより若干大きい略矩形状となる。
【０１５０】
また、図１３（ｃ）に示すように、凸条突出部６３３，７４３の形状が端面視、即ち義歯の上面側から見て略三角形状となっていても良い。この場合、凸条摺動溝部５３３，５４３の断面形状は、この凸条突出部６３３，７４３に合わせてこれより若干大きい略三角形形状となる。
【０１５１】
また、図１３（ｄ）に示すように、凸条突出部６３４，７４４の形状が端面視、即ち義歯の上面側から見て半円状とこの基端部の接続部分を合わせたいわゆるキノコ状（異形の略半円形状）となっていても良い。この場合、凸条摺動溝部５３４，５４４の断面形状は、この凸条突出部６３４，７４４に合わせてこれより若干大きい異形のキノコ状（異形の略半円形状）となる。
【０１５２】
なお、上述の３つの変形例においても、中間欠損歯用義歯５０をこの両端の支台歯９１，９２（９０）に嵌め込み易いように各凸条突出部の上端の角縁部が面取りされているかテーパー形状になっていると共に、各凸条摺動溝部の下端であって各凸条突出部が入り込む開口部が全体的に面取りされているかテーパー形状を有しているのが良い。
【０１５３】
以上説明した各変形例のような構造であっても、中間欠損歯用義歯５０を取り付けるための本発明に係る義歯とその取付けアタッチメントの作用を十分に発揮することができる。
【０１５４】
最後に上述した第２の実施形態及び各変形例とは異なる更なる変形例について説明する。図１４は、第２の実施形態の第４変形例について部分的に示す側面図である。この更なる変形例である第４変形例では、凸条突出部の代わりに凸条摺動溝部５３５，５４５の略中央部近傍において摺動に係合するようになった溝部方向に長さの短い平面視略円形状で十分な板厚を有する突起部６３５，７４５が金属冠６１０，７１０に備わっている。
【０１５５】
そして、図１４においては、突起部６３５，７４５が、それぞれ凸条摺動溝部５３５，５４５のストッパーとしての役目を果たす義歯先端側溝端部５３０ｂ，５４０ｂに突き当たることで、中間欠損歯用義歯５０がこれを挟む２本の支台歯９１，９２にしっかりと取り付けられている。このような構造であっても中間欠損歯用義歯５０を取り付けるための本発明に係る義歯とその取付けアタッチメントの作用を十分に発揮することができる。
【０１５６】
なお、図１４は、平面視、即ち義歯の上面側から見て第２の実施形態と同様な略円形状をなしているが、突起部の形状はこれには限定されず、例えば平面視略楕円形又は略矩形、略三角形、又は上述した異形半円状（キノコ状）にあっても良い。この場合、この突起部が摺動可能に嵌り込む凸条摺動溝部の断面形状は、これらの突起部の平面視の形状に合わせて適宜変更すれば良い。
【０１５７】
この第４変形例においても、中間欠損歯用義歯５０をこの両端の支台歯９１，９２（９０）に嵌め込み易いように、突起部の上端の角縁部が全周に亘って面取りされているかテーパー形状になっていると共に、凸条摺動溝部５３５，５４５の下端であって突起部が入り込む開口部が全体的に面取りされているかテーパー形状を有しているのが良い。
【０１５８】
なお、上述の各実施形態及びこれに関連する各変形例は、本発明のあくまで例示的な態様を示したものに過ぎず、本発明の作用効果を発揮し得る範囲内であれば、これらの形態と等価的な更なる各種変形例についても本発明に含まれることを言うまでもない。
【０１５９】
従って、例えば第１の実施形態及びその変形例において、溝部の溝幅は突出部が係合できれば溝延在方向に亘って同一である必要はなく、上下に亘って細長い楕円形状を有していても良い。
【０１６０】
また、例えば上述の各実施形態及びその変形例において、義歯本体は２本以上として説明したが、これが１本だけでも本発明の範囲に含まれる。また、第２の実施形態において、義歯先端側溝端部の開口は、凸条摺動係合部によって閉塞されていたが、この代わりに義歯本体の一部によって直接閉塞されていても良いことは言うまでもない。
【０１６１】
また、第１の実施形態や第２の実施形態及びこれらの各変形例における略球状体や略円形の定義は、いわゆる卵型や楕円形を含むことは言うまでもない。
【０１６２】
更には、上述の各実施形態及びその各種変形例において支台歯として天然歯であることを前提に説明したが、支台歯として天然歯の代わりにインプラントが用いられる場合であっても、インプラントに本発明に係る金属冠を取り付けることで十分な効果を奏することができる。
【０１６３】
具体的には、上述したように義歯装着後、咬合時において支台歯に対してこれを倒そうとするモーメントの発生を抑えることができるので、支台歯としてインプラントを用いた場合でも咬合時にインプラントの埋め込み部の破損を防止することができる。
【０１６４】
その結果、強く咬合する癖をなかなか直すことができない義歯装着者に対して、一旦破損してしまうと次なる代替え聞かないインプラントを長持ちさせることができ、インプラントの破損に起因して埋め込み部全体が欠損歯の部位として恒久的に残ってしまう最悪の事態を回避しつつ、インプラントを長く使用することができる。
【０１６５】
従って、義歯が天然歯の代わりにインプラントであっても本発明をその十分な作用効果を伴いながら適用可能であり、本発明の範囲内に属することは明らかである。
【符号の説明】
【０１６６】
１，２    義歯とその取付けアタッチメント
１０，１０Ａ    遊離端義歯
２０    取付けアタッチメント
５０    中間欠損歯用義歯
６０，７０    取付けアタッチメント
８０    支台歯
８１，８２    歯根膜
９１，９２（９０）    （両端）支台歯
１１０（１１１，１１２，１１３,・・・）    義歯本体
１２０    義歯床
１３０    凹み付き係合部
１３１    凹み部
１３５    下端部
１３６    先端
１３７    下端部
１４０    磁石
１５０    磁石ホルダー
１６０    凹み付き係合部
１６１    凹み部
１６１ａ    支台歯側開口部の幅
１６１ｂ    凹み部内の幅
２１０    金属冠
２２０    突出部
２２１    基端部
２２２    下側凹み部
２６０    突出部
２６０ａ    直径
２６１    接続部
５１０（５１１，５１２，５１３,・・・）    義歯本体
５２０    義歯床
５３０，５４０    凸条摺動係合部
５３０ａ，５４０ａ    義歯床側端部
５３０ｂ，５４０ｂ    義歯先端側溝端部
５３１，５４１    凸条摺動溝部
５３２，５４２    凸条摺動溝部
５３３，５４３    凸条摺動溝部
５３４，５４４    凸条摺動溝部
５３５，５４５    凸条摺動溝部
５５０，５６０    磁石
５７０，５８０    磁石ホルダー
６１０，７１０    金属冠
６３０，７４０    凸条突出部
６３２，７４２    凸条突出部
６３３，７４３    凸条突出部
６３４，７４４    凸条突出部
６３５，７４５    突起部
８００，８０１    歯肉
Ｓ１，Ｓ３，Ｓ４    空間
Ｄ    唾液
【図１】
2020137715.tif 000003
【図２】
2020137715.tif 000004
【図３】
2020137715.tif 000005
【図４】
2020137715.tif 000006
【図５】
2020137715.tif 000007
【図６】
2020137715.tif 000008
【図７】
2020137715.tif 000009
【図８】
2020137715.tif 000010
【図９】
2020137715.tif 000011
【図１０】
2020137715.tif 000012
【図１１】
2020137715.tif 000013
【図１２】
2020137715.tif 000014
【図１３】
2020137715.tif 000015
【図１４】
2020137715.tif 000016
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
少数残存歯のうちの歯欠損部分を挟む２本の歯を両端支台歯として中間欠損歯用義歯を取り付ける義歯とその取付けアタッチメントにおいて、
前記取付けアタッチメントは、前記各支台歯に被せる金属冠と、当該金属冠の周囲の所定位置に設けられ前記金属冠を前記支台歯に被せた状態で前記金属冠の周面において前記支台歯の基端部から先端部に向けて延在する磁性材からなる凸条突出部を有し、
前記中間欠損歯用義歯は、少なくとも一本の義歯本体と、義歯本体が取付けられた義歯床と、前記中間欠損歯用義歯をこの両端に位置する各支台歯に取り付ける凸条摺動係合部であって、前記中間欠損歯用義歯を前記支台歯に取り付けた際に、前記各支台歯に被せる前記金属冠に備わる凸条突出部が摺動可能な状態で嵌り込む凸条摺動係合部と、前記中間欠損歯用義歯の内部であって当該中間欠損歯用義歯の両端に備わる各凸条摺動係合部にそれぞれ隣接した位置で、前記義歯の装着状態で見て前記各凸条摺動係合部に関して前記支台歯とそれぞれ反対側になる位置に配置された磁石とを備え、
前記凸条摺動係合部の前記義歯本体側端部には、前記凸条突出部が当接するストッパー部が設けられ、
前記凸条突出部が前記凸条摺動係合部に係合することで、前記中間欠損歯用義歯が前記２本の支台歯に結合すると共に、前記中間欠損歯用義歯の義歯床が歯肉に接触することで、前記中間欠損歯用義歯を前記２本の支台歯に取り付けるようになっており、
前記中間欠損歯用義歯を前記支台歯に取り付けた際に、前記中間欠損歯用義歯に備わる各磁石が、これらそれぞれの近くに備わる金属冠の凸条突出部に磁気引っ張り力を及ぼすことで前記中間欠損歯用義歯が前記２本の支台歯から外れないようにし、かつ
前記中間欠損歯用義歯が、前記２本の支台歯の間で前記磁気引っ張り力によって保持されながら当該２本の支台歯に対して所定の量だけ平行移動できるように、前記金属冠の凸条突出部が前記中間欠損歯用義歯の凸条摺動係合部内で摺動可能となっており、
咬合した状態において、前記各凸条突出部が前記凸条摺動係合部のストッパー部に押し付けられることで、前記各凸条突出部を介して咬合力を前記２本の支台歯の歯根膜に伝えながら前記中間欠損歯用義歯と前記２本の支台歯で咬合可能としたことを特徴とする義歯とその取付けアタッチメント。
【請求項２】
前記義歯の取り付け状態で見て、前記凸条突出部の歯肉側の端部とこれに対向する歯肉との間に所定の空間が形成されることを特徴とする請求項１に記載の義歯とその取付けアタッチメント。
【請求項３】
前記凸条突出部に代えて前記溝部を摺動可能な突出部が前記金属冠に備わっていることを特徴とする請求項１又は請求項２の何れかに記載の義歯とその取付けアタッチメント。
【請求項４】
前記支台歯として天然歯の代わりにインプラントが用いられ、当該インプラントに前記金属冠を取り付けるようになったことを特徴とする請求項１乃至請求項３の何れかに記載の義歯とその取付けアタッチメント。
【請求項５】
請求項１乃至請求項４の何れかに記載の金属冠に取り付けることを特徴とする中間欠損歯用義歯。
【請求項６】
請求項１乃至請求項４の何れかに記載の中間欠損歯用義歯に取り付けることを特徴とする金属冠。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】変更
【補正の内容】
【００３５】
本発明の請求項１に係る義歯とその取付けアタッチメントは、
少数残存歯のうちの歯欠損部分を挟む２本の歯を両端支台歯として中間欠損歯用義歯を取り付ける義歯とその取付けアタッチメントにおいて、
前記取付けアタッチメントは、前記各支台歯に被せる金属冠と、当該金属冠の周囲の所定位置に設けられ前記金属冠を前記支台歯に被せた状態で前記金属冠の周面において前記支台歯の基端部から先端部に向けて延在する磁性材からなる凸条突出部を有し、
前記中間欠損歯用義歯は、少なくとも一本の義歯本体と、義歯本体が取付けられた義歯床と、前記中間欠損歯用義歯をこの両端に位置する各支台歯に取り付ける凸条摺動係合部であって、前記中間欠損歯用義歯を前記支台歯に取り付けた際に、前記各支台歯に被せる前記金属冠に備わる凸条突出部が摺動可能な状態で嵌り込む凸条摺動係合部と、前記中間欠損歯用義歯の内部であって当該中間欠損歯用義歯の両端に備わる各凸条摺動係合部にそれぞれ隣接した位置で、前記義歯の装着状態で見て前記各凸条摺動係合部に関して前記支台歯とそれぞれ反対側になる位置に配置された磁石とを備え、
前記凸条摺動係合部の前記義歯本体側端部には、前記凸条突出部が当接するストッパー部が設けられ、
前記凸条突出部が前記凸条摺動係合部に係合することで、前記中間欠損歯用義歯が前記２本の支台歯に結合すると共に、前記中間欠損歯用義歯の義歯床が歯肉に接触することで、前記中間欠損歯用義歯を前記２本の支台歯に取り付けるようになっており、
前記中間欠損歯用義歯を前記支台歯に取り付けた際に、前記中間欠損歯用義歯に備わる各磁石が、これらそれぞれの近くに備わる金属冠の凸条突出部に磁気引っ張り力を及ぼすことで前記中間欠損歯用義歯が前記２本の支台歯から外れないようにし、かつ
前記中間欠損歯用義歯が、前記２本の支台歯の間で前記磁気引っ張り力によって保持されながら当該２本の支台歯に対して所定の量だけ平行移動できるように、前記金属冠の凸条突出部が前記中間欠損歯用義歯の凸条摺動係合部内で摺動可能となっており、
咬合した状態において、前記各凸条突出部が前記凸条摺動係合部のストッパー部に押し付けられることで、前記各凸条突出部を介して咬合力を前記２本の支台歯の歯根膜に伝えながら前記中間欠損歯用義歯と前記２本の支台歯で咬合可能としたことを特徴としている。
【手続補正２６】
【補正対象書類名】明細書
【補正対象項目名】００３７
【補正方法】変更
【補正の内容】
【００３７】
また、本発明の請求項２に係る義歯とその取付けアタッチメントは、請求項１に記載の義歯とその取付けアタッチメントにおいて、
前記義歯の取り付け状態で見て、前記凸条突出部の歯肉側の端部とこれに対向する歯肉との間に所定の空間が形成されることを特徴としている。
【手続補正２７】
【補正対象書類名】明細書
【補正対象項目名】００３９
【補正方法】変更
【補正の内容】
【００３９】
また、本発明の請求項３に係る義歯とその取付けアタッチメントは、請求項１又は請求項２に記載の義歯とその取付けアタッチメントにおいて、
前記凸条突出部に代えて前記溝部を摺動可能な突出部が前記金属冠に備わっていることを特徴としている。
【手続補正２８】
【補正対象書類名】明細書
【補正対象項目名】００４１
【補正方法】変更
【補正の内容】
【００４１】
また、本発明の請求項４に係る義歯とその取付けアタッチメントは、請求項１乃至請求項３の何れかに記載の義歯とその取付けアタッチメントにおいて、
前記支台歯として天然歯の代わりにインプラントが用いられ、当該インプラントに前記金属冠を取り付けるようになったことを特徴としている。
【手続補正２９】
【補正対象書類名】明細書
【補正対象項目名】００４３
【補正方法】変更
【補正の内容】
【００４３】
また、本発明の請求項５に係る中間欠損歯用義歯は、
請求項１乃至請求項４の何れかに記載の金属冠に取り付けることを特徴とする中間欠損歯用義歯である。
【手続補正３０】
【補正対象書類名】明細書
【補正対象項目名】００４４
【補正方法】変更
【補正の内容】
【００４４】
また、本発明の請求項６に係る金属冠は、
請求項１乃至請求項４の何れかに記載の中間欠損歯用義歯に取り付けることを特徴とする金属冠である。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
少数残存歯のうちの歯欠損部分を挟む２本の歯を両端支台歯として中間欠損歯用義歯を取り付ける義歯とその取付けアタッチメントにおいて、
前記取付けアタッチメントは、前記各支台歯に被せる金属冠と、当該金属冠の周囲の所定位置に設けられ前記金属冠を前記支台歯に被せた状態で前記金属冠の周面において前記支台歯の基端部から先端部に向けて延在する磁性材からなる凸条突出部を有し、
前記中間欠損歯用義歯は、少なくとも一本の義歯本体と、義歯本体が取付けられた義歯床と、前記中間欠損歯用義歯をこの両端に位置する各支台歯に取り付ける凸条摺動係合部であって、前記中間欠損歯用義歯を前記支台歯に取り付けた際に、前記各支台歯に被せる前記金属冠に備わる凸条突出部が摺動可能な状態で嵌り込む凸条摺動係合部と、前記中間欠損歯用義歯の内部であって当該中間欠損歯用義歯の両端に備わる各凸条摺動係合部にそれぞれ隣接した位置で、前記義歯の装着状態で見て前記各凸条摺動係合部に関して前記支台歯とそれぞれ反対側になる位置に配置された磁石とを備え、
前記凸条摺動係合部の前記義歯本体側端部には、前記凸条突出部が当接するストッパー部が設けられ、
前記凸条突出部が前記凸条摺動係合部に係合することで、前記中間欠損歯用義歯が前記２本の支台歯に結合すると共に、前記中間欠損歯用義歯の義歯床が歯肉に接触することで、前記中間欠損歯用義歯を前記２本の支台歯に取り付けるようになっており、
前記中間欠損歯用義歯を前記支台歯に取り付けた際に、前記中間欠損歯用義歯に備わる各磁石が、これらそれぞれの近くに備わる金属冠の凸条突出部に磁気引っ張り力を及ぼすことで前記中間欠損歯用義歯が前記２本の支台歯から外れないようにし、かつ
前記中間欠損歯用義歯が、前記２本の支台歯の間で前記磁気引っ張り力によって保持されながら当該２本の支台歯に対して所定の量だけ平行移動できるように、前記金属冠の凸条突出部が前記中間欠損歯用義歯の凸条摺動係合部内で摺動可能となっており、
前記凸条摺動係合部には、前記凸条突出部が摺動係合する凸条摺動溝部が当該凸条摺動係合部の延在方向に合わせて形成されると共に、当該凸条摺動溝部の前記ストッパー部としての役目を果たす義歯先端側溝端部が、前記凸条突出部長手方向両端部のうち前記金属冠との取付け関係で見て上部側となる端部に突き当たることで、前記中間欠損歯用義歯がこの両端を挟む前記２本の支台歯に取り付けられるようになっており、
咬合した状態において、前記各凸条突出部が前記凸条摺動係合部のストッパー部に押し付けられることで、前記各凸条突出部を介して咬合力を前記２本の支台歯の歯根膜に伝えながら前記中間欠損歯用義歯と前記２本の支台歯で咬合可能とすることを特徴とする義歯とその取付けアタッチメント。
【請求項２】
前記義歯の取り付け状態で見て、前記凸条突出部の歯肉側の端部とこれに対向する歯肉との間に所定の空間が形成されることを特徴とする請求項１に記載の義歯とその取付けアタッチメント。
【請求項３】
前記凸条突出部に代えて前記溝部を摺動可能な突出部が前記金属冠に備わっていることを特徴とする請求項１又は請求項２の何れかに記載の義歯とその取付けアタッチメント。
【請求項４】
前記支台歯として天然歯の代わりにインプラントが用いられ、当該インプラントに前記金属冠を取り付けるようになったことを特徴とする請求項１乃至請求項３の何れかに記載の義歯とその取付けアタッチメント。
【請求項５】
請求項１乃至請求項４の何れかに記載の金属冠に取り付けることを特徴とする中間欠損歯用義歯。
【請求項６】
請求項１乃至請求項４の何れかに記載の中間欠損歯用義歯に取り付けることを特徴とする金属冠。
【手続補正２】
【補正対象書類名】明細書
【補正対象項目名】００３５
【補正方法】変更
【補正の内容】
【００３５】
本発明の請求項１に係る義歯とその取付けアタッチメントは、
少数残存歯のうちの歯欠損部分を挟む２本の歯を両端支台歯として中間欠損歯用義歯を取り付ける義歯とその取付けアタッチメントにおいて、
前記取付けアタッチメントは、前記各支台歯に被せる金属冠と、当該金属冠の周囲の所定位置に設けられ前記金属冠を前記支台歯に被せた状態で前記金属冠の周面において前記支台歯の基端部から先端部に向けて延在する磁性材からなる凸条突出部を有し、
前記中間欠損歯用義歯は、少なくとも一本の義歯本体と、義歯本体が取付けられた義歯床と、前記中間欠損歯用義歯をこの両端に位置する各支台歯に取り付ける凸条摺動係合部であって、前記中間欠損歯用義歯を前記支台歯に取り付けた際に、前記各支台歯に被せる前記金属冠に備わる凸条突出部が摺動可能な状態で嵌り込む凸条摺動係合部と、前記中間欠損歯用義歯の内部であって当該中間欠損歯用義歯の両端に備わる各凸条摺動係合部にそれぞれ隣接した位置で、前記義歯の装着状態で見て前記各凸条摺動係合部に関して前記支台歯とそれぞれ反対側になる位置に配置された磁石とを備え、
前記凸条摺動係合部の前記義歯本体側端部には、前記凸条突出部が当接するストッパー部が設けられ、
前記凸条突出部が前記凸条摺動係合部に係合することで、前記中間欠損歯用義歯が前記２本の支台歯に結合すると共に、前記中間欠損歯用義歯の義歯床が歯肉に接触することで、前記中間欠損歯用義歯を前記２本の支台歯に取り付けるようになっており、
前記中間欠損歯用義歯を前記支台歯に取り付けた際に、前記中間欠損歯用義歯に備わる各磁石が、これらそれぞれの近くに備わる金属冠の凸条突出部に磁気引っ張り力を及ぼすことで前記中間欠損歯用義歯が前記２本の支台歯から外れないようにし、かつ
前記中間欠損歯用義歯が、前記２本の支台歯の間で前記磁気引っ張り力によって保持されながら当該２本の支台歯に対して所定の量だけ平行移動できるように、前記金属冠の凸条突出部が前記中間欠損歯用義歯の凸条摺動係合部内で摺動可能となっており、
前記凸条摺動係合部には、前記凸条突出部が摺動係合する凸条摺動溝部が当該凸条摺動係合部の延在方向に合わせて形成されると共に、当該凸条摺動溝部の前記ストッパー部としての役目を果たす義歯先端側溝端部が、前記凸条突出部長手方向両端部のうち前記金属冠との取付け関係で見て上部側となる端部に突き当たることで、前記中間欠損歯用義歯がこの両端を挟む前記２本の支台歯に取り付けられるようになっており、
咬合した状態において、前記各凸条突出部が前記凸条摺動係合部のストッパー部に押し付けられることで、前記各凸条突出部を介して咬合力を前記２本の支台歯の歯根膜に伝えながら前記中間欠損歯用義歯と前記２本の支台歯で咬合可能とすることを特徴としている。